(57)【要約】  【課題】折り加工を含む後処理工程のための印刷を行っている間に障害が発生した場合においても、後処理工程で利用されえない印刷物を生成することを防ぐことができる印刷制御装置を提供する。  【解決手段】構成情報記憶部４４は、後処理装置１２による後処理に関する構成情報を記憶する。印刷データ記憶部４８は、生成される印刷データを記憶する。印刷データ生成部４６は、文書データと構成情報とに基づいて印刷データを生成して印刷データ記憶部４８に格納する。印刷データにおいて、小冊子の第１番目の用紙に対応する物理ページデータには、当該用紙が小冊子の先頭である旨を示す先頭情報が含まれている。再印刷制御部５０は、記憶されている物理ページデータのヘッダ情報を参照し、当該複数の物理ページデータから、先頭情報が含まれている物理ページデータを探索する。【選択図】図４
2008162133.tif 000002
【特許請求の範囲】
【請求項１】
複数の記録媒体からなる束に関する構成情報を記憶する構成情報記憶手段と、
束にまとめられる複数の記録媒体のそれぞれに対応するページデータを含み、前記構成情報記憶手段により記憶されている構成情報に基づいて当該ページデータのうち第１番目のページデータに先頭情報が含まれている印刷データを生成する印刷データ生成手段と、
前記印刷データ生成手段により生成される印刷データを記憶する印刷データ記憶手段と、
前記印刷データ記憶手段により記憶されている印刷データに含まれている複数のページデータから、先頭情報が含まれているページデータを探索する探索手段と
を有する印刷制御装置。
【請求項２】
前記探索手段は、指定されるページデータを含む束及び当該束の次の束のいずれかの先頭情報が含まれているページデータを探索する
請求項１に記載の印刷制御装置。
【請求項３】
前記探索手段は、指定されるページデータを含む束及び当該束の次の束の先頭情報が含まれているページデータのうち、当該指定されるページデータに近いページデータを選択する
請求項２に記載の印刷制御装置。
【請求項４】
ページデータには、複数の論理ページが含まれており、
前記探索手段は、指定される論理ページが含まれているページデータを含む束に含まれている複数のページデータから探索する
請求項１に記載の印刷制御装置。
【請求項５】
複数の記録媒体からなる束に関する構成情報を記憶する構成情報記憶手段と、
束にまとめられる複数の記録媒体のそれぞれに対応するページデータを含み、前記構成情報記憶手段により記憶されている構成情報に基づいて当該ページデータのうち第１番目のページデータに先頭情報が含まれている印刷データを生成する印刷データ生成手段と、
前記印刷データ生成手段により生成される印刷データを記憶する印刷データ記憶手段と、
前記印刷データ記憶手段により記憶されている印刷データに含まれている複数のページデータから、先頭情報が含まれているページデータを探索する探索手段と、
前記探索手段により探索されるページデータ以降のページデータに基づいて記録媒体に画像を形成する画像形成手段と
を有する印刷装置。
【請求項６】
複数の記録媒体からなる束に関する構成情報を記憶する構成情報記憶手段と、
束にまとめられる複数の記録媒体のそれぞれに対応するページデータを含み、前記構成情報記憶手段により記憶されている構成情報に基づいて当該ページデータのうち第１番目のページデータに先頭情報が含まれている印刷データを生成する印刷データ生成手段と、
前記印刷データ生成手段により生成される印刷データを記憶する印刷データ記憶手段と、
前記印刷データ記憶手段により記憶されている印刷データに含まれている複数のページデータから、先頭情報が含まれているページデータを探索する探索手段と、
前記探索手段により探索されるページデータ以降のページデータに基づいて記録媒体に画像を形成する画像形成手段と、
前記画像形成手段により画像を形成される所定の単位の記録媒体に対して後処理を行う後処理手段と
を有する印刷システム。
【請求項７】
コンピュータを含む印刷制御装置において、
束にまとめられる複数の記録媒体のそれぞれに対応するページデータを含み、複数の記録媒体からなる束に関する構成情報に基づいて当該ページデータのうち第１番目のページデータに先頭情報が含まれている印刷データを生成する印刷データ生成ステップと、
前記生成される印刷データを保存する保存ステップと、
前記保存されている印刷データに含まれている複数のページデータから、先頭情報が含まれているページデータを探索する探索ステップと
を前記印刷制御装置のコンピュータに実行させるプログラム。
【発明の詳細な説明】
【技術分野】
【０００１】
本発明は、折り畳んで製本される記録媒体への印刷を制御する印刷制御装置に関する。
【背景技術】
【０００２】
この種の印刷制御装置は、印刷された用紙を束ねて折って留めると１冊の本の形態になるように印刷する。このような印刷を例えばブック印刷ともいう。ブック印刷が行われる場合、１冊分の大量の用紙が一度に束ねて折られると、厚みで用紙が大きくずれて、製本が綺麗に行われないことがある。このため、印刷制御装置は、１冊分を複数の小冊子に分けて処理が行われた後に複数の小冊子が束ねられ留められて一冊の本の形式とされるように、ページ構成を考慮して印刷を行う場合がある。１つの用紙に割り付けされるページ数及び小冊子に含まれる用紙の数は、後処理工程に依存するので、ユーザには認識されない。
【０００３】
印刷を行っている間に用紙切れやジャム等の障害が発生すると、印刷は止まってしまう。障害の復旧後、続きのページから印刷が行われると、連続紙の場合、白紙など余分なページが挿入されたり、用紙が切れたりする。ブック印刷の形式で印刷中に障害等が発生した場合においても、復旧後にエラー発生時の印刷ページの続きから印刷が行われると、小冊子の途中に余分なページが挿入されたり、用紙が切れたりすることがある。このため、印刷物は、後処理装置にそのままセットされることができず、再度、印刷処理から実行されなければならない。この場合、コストが余分にかかってしまう。
【０００４】
またさらに、ユーザは、再印刷を所望する小冊子がどのページから始まるかを意識しないため、適当に戻したページ数から再印刷を行うことがある。この場合、印刷は小冊子の先頭ページから行われないことがあるので、半端なページが印刷されてしまう等の問題があった。
【０００５】
特許文献１では、障害発生時に印刷開始項に戻って、代行するプリンタに転送し、再印刷をする手法が開示されている。
【０００６】
【特許文献１】特開２００５−２４３０４８号公報
【発明の開示】
【発明が解決しようとする課題】
【０００７】
本発明は、折り加工を含む後処理工程のための印刷を行っている間に障害が発生した場合においても、後処理工程で利用されえない印刷物を生成することを防ぐことができる印刷制御装置を提供することを目的とする。
【課題を解決するための手段】
【０００８】
上記目的を達成するために、本発明に係る印刷制御装置は、複数の記録媒体からなる束に関する構成情報を記憶する構成情報記憶手段と、束にまとめられる複数の記録媒体のそれぞれに対応するページデータを含み、前記構成情報記憶手段により記憶されている構成情報に基づいて当該ページデータのうち第１番目のページデータに先頭情報が含まれている印刷データを生成する印刷データ生成手段と、前記印刷データ生成手段により生成される印刷データを記憶する印刷データ記憶手段と、前記印刷データ記憶手段により記憶されている印刷データに含まれている複数のページデータから、先頭情報が含まれているページデータを探索する探索手段とを有する。本発明によれば、折り加工を含む後処理工程のための印刷を行っている間に障害が発生した場合においても、小冊子の先頭ページから印刷を再開するので、例えば白紙や不要な印刷物など後処理工程で利用されえない印刷物を生成することを防ぐことができる。
【０００９】
好適には、前記探索手段は、指定されるページデータを含む束及び当該束の次の束のいずれかの先頭情報が含まれているページデータを探索する。本発明によれば、作業者がいかなる物理ページを設定した場合においても、障害発生前に完成されている小冊子の次の小冊子の先頭ページから印刷を再開することができる。
【００１０】
好適には、前記探索手段は、指定されるページデータを含む束及び当該束の次の束の先頭情報が含まれているページデータのうち、当該指定されるページデータに近いページデータを選択する。本発明によれば、再印刷において先頭ページを探索するために要する時間を短縮することができる。
【００１１】
好適には、ページデータには、複数の論理ページが含まれており、前記探索手段は、指定される論理ページが含まれているページデータを含む束に含まれている複数のページデータから探索する。本発明によれば、作業者は、再印刷の開始位置を、論理ページのページ番号で指定することができる。
【００１２】
本発明に係る印刷装置は、複数の記録媒体からなる束に関する構成情報を記憶する構成情報記憶手段と、束にまとめられる複数の記録媒体のそれぞれに対応するページデータを含み、前記構成情報記憶手段により記憶されている構成情報に基づいて当該ページデータのうち第１番目のページデータに先頭情報が含まれている印刷データを生成する印刷データ生成手段と、前記印刷データ生成手段により生成される印刷データを記憶する印刷データ記憶手段と、前記印刷データ記憶手段により記憶されている印刷データに含まれている複数のページデータから、先頭情報が含まれているページデータを探索する探索手段と、前記探索手段により探索されるページデータ以降のページデータに基づいて記録媒体に画像を形成する画像形成手段とを有する。本発明によれば、折り加工を含む後処理工程のための印刷を行っている間に障害が発生した場合においても、後処理工程で利用されえない印刷物を生成することを防ぐことができる。
【００１３】
本発明に係る印刷システムは、複数の記録媒体からなる束に関する構成情報を記憶する構成情報記憶手段と、束にまとめられる複数の記録媒体のそれぞれに対応するページデータを含み、前記構成情報記憶手段により記憶されている構成情報に基づいて当該ページデータのうち第１番目のページデータに先頭情報が含まれている印刷データを生成する印刷データ生成手段と、前記印刷データ生成手段により生成される印刷データを記憶する印刷データ記憶手段と、前記印刷データ記憶手段により記憶されている印刷データに含まれている複数のページデータから、先頭情報が含まれているページデータを探索する探索手段と、前記探索手段により探索されるページデータ以降のページデータに基づいて記録媒体に画像を形成する画像形成手段と、前記画像形成手段により画像を形成される所定の単位の記録媒体に対して後処理を行う後処理手段とを有する。本発明によれば、折り加工を含む後処理工程のための印刷を行っている間に障害が発生した場合においても、後処理工程で利用されえない印刷物を生成することを防ぐことができる。
【００１４】
本発明に係るプログラムは、コンピュータを含む印刷制御装置において、束にまとめられる複数の記録媒体のそれぞれに対応するページデータを含み、複数の記録媒体からなる束に関する構成情報に基づいて当該ページデータのうち第１番目のページデータに先頭情報が含まれている印刷データを生成する印刷データ生成ステップと、前記生成される印刷データを保存する保存ステップと、前記保存されている印刷データに含まれている複数のページデータから、先頭情報が含まれているページデータを探索する探索ステップとを前記印刷制御装置のコンピュータに実行させる。本発明によれば、折り加工を含む後処理工程のための印刷を行っている間に障害が発生した場合においても、後処理工程で利用されえない印刷物を生成することを防ぐことができる。
【発明の効果】
【００１５】
本発明の印刷制御装置によれば、折り加工を含む後処理工程のための印刷を行っている間に障害が発生した場合においても、後処理工程で利用されえない印刷物を生成することを防ぐことができる。
【発明を実施するための最良の形態】
【００１６】
まず、本発明の第１の実施形態に係る印刷制御装置を説明する。
図１は、本発明の実施形態に係る印刷システム１を示す図である。
図１に示すように、印刷システム１は、端末装置１６、印刷制御装置２、画像出力装置１０及び後処理装置１２を含む。端末装置１６及び印刷制御装置２は、ＬＡＮ、ＷＡＮ等のネットワーク１４を介して接続されており、互いにデータの送信及び受信を行う。画像出力装置１０は印刷制御装置２に接続され、後処理装置１２は画像出力装置１０に接続されている。なお、画像出力装置１０は、ネットワーク１４を介して印刷制御装置２に接続されてもよい。
【００１７】
端末装置１６は、文字、グラフィック等が所定のページ記述言語（ＰＤＬ）等により記載された文書データを、ネットワーク１４を介して印刷制御装置２に対して送信する。端末装置１６は、例えば、データ出力装置としてのホストコンピュータである。
【００１８】
印刷制御装置２は、端末装置１６から送信される文書データを受け付け、当該文書データに基づいて画像を描画し、複数のページが１枚の用紙に印刷されるように割付を行って印刷データを生成し、当該印刷データを画像出力装置１０に対して出力する。なお、以降、文書データに含まれているページを論理ページともいう。また、印刷制御装置２は、画像出力装置１０に含まれていてもよい。
【００１９】
画像出力装置１０は、例えば、プリンタ、複写機等であり、例えば用紙、ＯＨＰ用シート等の記録媒体に画像を形成する像形成部を有する。画像出力装置１０は、印刷制御装置２から出力される印刷データを受け付けると、印刷データに基づいて記録媒体に画像を形成し、この記録媒体を後処理装置１２に排出する。なお、以降、記録媒体の順序を示す番号を物理ページともいう。また、以降、用紙が記録媒体として用いられる場合を例として説明する。
【００２０】
後処理装置１２は、画像出力装置１０から排出される用紙を受け入れ、折り加工、製本等の後処理を行う。具体的には、後処理装置１２は、複数の用紙のそれぞれを折り畳んで折り丁を生成し、所定の単位の折り丁をまとめて小冊子を生成し、さらに複数の小冊子をまとめて製本処理を行う。なお、後処理装置１２は、複数の折り丁をまとめて製本処理を行ってもよい。
【００２１】
図２は、後処理装置１２による折り加工及び印刷制御装置２により割付処理を説明する図である。
図２（Ａ）及び図２（Ｂ）は後処理装置１２による折り加工を例示する図であって、図２（Ａ）は２ツ折りにより生成される折り丁を示し、図２（Ｂ）は巻き４折りにより生成される折り丁示す。図２（Ａ）及び図２（Ｂ）に示すように、後処理装置１２は、印刷された用紙に対して所定の折り加工を行う。例えば、後処理装置１２は、２ツ折り、巻き４折り等の平行折り、８ページ回し折り、１６ページ回し折り等の直角折り等を行う。なお、後処理装置１２による折り加工は、本例に限定されず、いかなる種類の折り方であってもよい。
【００２２】
図２（Ｃ）は、印刷制御装置２により割付処理を例示する図である。ここで、図中の数字は、端末装置１６から送信される文書データの論理ページ番号を示し、数字の向きは、そのページの画像の向きを示す。本例では、１６ページ折りの左綴じ天袋のおもて面が示されている。図２（Ｃ）に例示するように、印刷制御装置２は、画像出力装置１０により印刷される用紙が折り畳まれる際に論理ページの順番と向きが適切になるように、文書データの複数の論理ページを配置して印刷データを生成する。なお、このような割付処理を面付けともいう。
【００２３】
図３は、本発明の実施形態に係る印刷制御装置２のハードウェア構成を示す図である。
図３に例示するように、印刷制御装置２は、ＣＰＵ１８、メモリ２０、ハードディスクドライブ等の記憶装置２２、ＦＤ、ＣＤ、ＤＶＤあるいはテープ等の記録媒体に対してデータの書込み・読出し処理を行う記録媒体インタフェース（ＩＦ）２４、タッチパネル又は液晶ディスプレイ及びキーボードを含むユーザインタフェース（ＵＩ）装置２６、ネットワーク１４を介して端末装置１６など外部のコンピュータとデータの送信及び受信を行う通信ＩＦ２８、及び画像出力装置１０に対して印刷データを出力する印刷ＩＦ３０を有する。これらの構成要素は、システムバス３２を介して互いに接続されている。印刷制御装置２は、例えば、後述する印刷制御プログラム４がインストールされた汎用コンピュータである。
【００２４】
図４は、本発明の実施形態に係る印刷制御装置２による印刷制御処理を実現する印刷制御プログラム４の機能構成を示す図である。
図４に示すように、印刷制御プログラム４は、文書データ受付部４０、印刷データ構成部４２、構成情報記憶部４４、印刷データ生成部４６、印刷データ記憶部４８及び再印刷制御部５０を有する。なお、印刷制御プログラム４の全部又は一部の機能は、印刷制御装置２に設けられたハードウェアにより実現されてもよい。
【００２５】
印刷制御プログラム４において、構成情報記憶部４４は、後処理装置１２による後処理に関する構成情報を記憶する。具体的には、構成情報記憶部４４は、複数の用紙からなる小冊子（束）に関する構成情報を記憶する。例えば、構成情報には、折り加工における折り方、論理ページの用紙への割付方法、小冊子を構成する折り丁の数、製本の仕方等に関する情報が含まれている。構成情報記憶部４４は、メモリ２０及び記憶装置２２の少なくともいずれかにより実現される。
【００２６】
印刷データ記憶部４８は、後述する印刷データ生成部４６により生成される印刷データを記憶する。印刷データ記憶部４８は、構成情報記憶部４４と同様にして実現される。
【００２７】
文書データ受付部４０は、端末装置１６から送信される印刷対象の文書データを、通信ＩＦ２８を介して受け付ける。文書データ受付部４０は、ＤＶＤ等の記録媒体を介して記録媒体ＩＦ２４により読み込まれた文書データを受け付けてもよい。
【００２８】
印刷データ構成部４２は、文書データ受付部４０から出力される文書データを受け付け、この文書データに対応する構成情報を構成情報記憶部４４から読み出し、当該文書データと読み出した構成情報とを印刷データ生成部４６に対して出力する。文書データに対応する構成情報に関する情報は、文書データに含まれていてもよいし、ＵＩ装置２６を介して入力されてもよい。
【００２９】
印刷データ生成部４６は、印刷データ構成部４２から出力される文書データと構成情報とに基づいて印刷データを生成し、生成した印刷データを印刷データ記憶部４８に格納する。また、印刷データ生成部４６は、印刷データを画像出力装置１０に対して出力する。なお、印刷データ生成部４６については、後で詳述する。
【００３０】
印刷データには、小冊子にまとめられる複数の用紙のそれぞれに対応する物理ページデータが含まれている。また、印刷データには、印刷処理がブック印刷であるか否かに関する情報が含まれている。物理ページデータには、当該物理ページに含まれている論理ページに関する情報が含まれている。物理ページのうち、小冊子の第１番目の用紙に対応する物理ページデータには、当該用紙が小冊子の先頭である旨を示す先頭情報が含まれている。このような情報は、例えば、物理ページデータのヘッダに含まれている。
【００３１】
再印刷制御部５０は、例えばジャム等の障害が復旧された後に、ＵＩ装置２６を介して再印刷の要求を受け付け、この要求に基づいて、印刷データ記憶部４８に記憶されている印刷データに含まれている複数の物理ページデータのヘッダ情報を参照し、当該複数の物理ページデータから、先頭情報が含まれている物理ページデータを探索する。再印刷制御部５０は、探索した先頭情報を含むページを印刷開始ページとして、印刷データを画像出力装置１０に対して出力する。このようにして、再印刷制御部５０は、探索手段を構成する。なお、再印刷処理については、後で詳述する。
【００３２】
図５は、印刷データ生成部４６の詳細な機能構成を示す図である。
図５に示すように、印刷データ生成部４６は、描画・割付部４６０、先頭情報付与部４６２及び印刷データ出力部４６４を有する。印刷データ生成部４６において、描画・割付部４６０は、印刷データ構成部４２から出力される文書データを解析し、文書データに基づいて論理ページ毎に画像を描画し、所定の画像処理を行う。また、描画・割付部４６０は、描画した複数の画像を、構成情報に基づいて用紙に割付し、印刷データを生成する。画像処理には、例えば、２値化処理、色変換処理、階調補正処理等が含まれる。
【００３３】
先頭情報付与部４６２は、構成情報に基づいて、小冊子にまとめられる複数の用紙のそれぞれに対応する物理ページデータのうち、小冊子の第１番目の用紙に対応する物理ページデータに先頭情報を付与する。
印刷データ出力部４６４は、このようにして生成される印刷データを画像出力装置１０に対して出力する。さらに、印刷データ出力部４６４は、印刷データ記憶部４８に格納する。
【００３４】
図６は、印刷データ生成部４６による印刷データ生成処理（Ｓ１０）のフローチャートを示す図である。
図６に示すように、ステップ１００（Ｓ１００）において、印刷データ生成部４６の描画・割付部４６０は、文書データに基づいて論理ページに対応する画像を描画し、構成情報に基づいて当該画像を割り付け、物理ページデータを生成する。
【００３５】
ステップ１０２（Ｓ１０２）において、先頭情報付与部４６２は、構成情報に基づいて、当該物理ページが小冊子の第１ページであるか否かを判定する。先頭情報付与部４６２は、物理ページが小冊子の第１ページである場合にはＳ１０４の処理に進み、そうでない場合にはＳ１０６の処理に進む。
【００３６】
ステップ１０４（Ｓ１０４）において、先頭情報付与部４６２は、当該物理ページデータに先頭情報を付与する。
ステップ１０６（Ｓ１０６）において、印刷データ出力部４６４は、当該物理ページに関する印刷データを印刷データ記憶部４８に格納する。
【００３７】
ステップ１０８（Ｓ１０８）において、印刷データ生成部４６は、文書データに含まれている全ての論理ページについて処理を終了したか否かを判定する。印刷データ生成部４６は、全ての論理ページについての処理を終了した場合にはＳ１１０の処理に進み、そうでない場合にはＳ１００の処理に進む。
【００３８】
ステップ１１０（Ｓ１１０）において、印刷データ生成部４６の印刷データ出力部４６４は、印刷データ記憶部４８に記憶されている印刷データを読み出して、画像出力装置１０に対して出力する。
【００３９】
図７は、印刷システム１における印刷処理（Ｓ２０）の動作を示す図である。
図７に示すように、ステップ２００（Ｓ２００）において、印刷制御装置２上で動作する印刷制御プログラム４の文書データ受付部４０は、送信される文書データを受け付ける。
ステップ２０２（Ｓ２０２）において、印刷データ構成部４２は、構成情報記憶部４４に記憶されている構成情報を読み出して、文書データと構成情報とを印刷データ生成部４６に対して出力する。
【００４０】
印刷データ生成部４６は、文書データと構成情報とを受け付けると、印刷データ生成処理（図６；Ｓ１０）を行う。
ステップ２０４（Ｓ２０４）において、画像出力装置１０は、印刷制御装置２から出力された印刷データを受け付け、当該印刷データに基づいて用紙に画像を形成し、当該用紙を後処理装置１２に対して排出する。
ステップ２０６（Ｓ２０６）において、後処理装置１２は、折り加工処理を行い、所定の単位の用紙をまとめて小冊子を生成し、これらの小冊子をまとめて製本処理を行う。
【００４１】
このような印刷処理の工程において、用紙切れやジャム等の障害が発生し、印刷処理が停止された場合、障害が復旧した後、再印刷処理が行われる。
図８は、印刷制御プログラム４の再印刷制御部５０による再印刷時における印刷データ生成処理（Ｓ３０）のフローチャートを示す図である。
図８に示すように、作業者は、印刷制御装置２のＵＩ装置２６を介して物理ページ番号を入力する。例えば、作業者は、後処理装置１２まで搬送された物理ページの次の物理ページの番号を入力する。ページ番号が入力されると、ステップ３００（Ｓ３００）において、印刷制御プログラム４の再印刷制御部５０は、入力されるページ番号を印刷開始ページに設定する。
【００４２】
ステップ３０２（Ｓ３０２）において、再印刷制御部５０は、印刷データ記憶部４８に記憶されている印刷データを読み出す。
ステップ３０４（Ｓ３０４）において、再印刷制御部５０は、印刷データの例えばヘッダ等を参照し、当該印刷データについての印刷処理がブック印刷であるか否かを判定する。再印刷制御部５０は、印刷処理がブック印刷である場合にはＳ３０６の処理に進み、そうでない場合にはＳ３１２の処理に進む。
【００４３】
ステップ３０６（Ｓ３０６）において、再印刷制御部５０は、印刷開始ページに設定された物理ページデータを参照する。
ステップ３０８（Ｓ３０８）において、再印刷制御部５０は、当該物理ページデータに先頭情報が含まれているか否かを判定する。再印刷制御部５０は、先頭情報が含まれている場合にはＳ３１２の処理に進み、そうでない場合にはＳ３１０の処理に進む。
【００４４】
ステップ３１０（Ｓ３１０）において、再印刷制御部５０は、当該物理ページの１つ前の物理ページを印刷開始ページとする。その後、再印刷制御部５０は、Ｓ３０６の処理に戻る。
【００４５】
ステップ３１２（Ｓ３１２）において、再印刷制御部５０は、印刷開始ページに関する情報を、印刷データに付与する。
ステップ３１４（Ｓ３１４）において、再印刷制御部５０は、印刷開始ページを付与された印刷データを画像出力装置１０に対して出力する。
【００４６】
図９は、印刷システム１による再印刷処理（Ｓ４０）の動作を示す図である。
図９に示すように、ジャム等の障害が復旧した後、再印刷時における印刷データ生成処理（Ｓ８；Ｓ３０）が実行される。
【００４７】
ステップ４００（Ｓ４００）において、画像出力装置１０は、印刷制御プログラム４の再印刷制御部５０により探索され、印刷開始ページに設定された物理ページデータ以降の物理ページデータに基づいて、印刷開始ページに設定された物理ページの画像を用紙に形成する。
ステップ４０２（Ｓ４０２）において、後処理装置は、画像出力装置１０により画像を形成される用紙に対して後処理を行う。
【００４８】
次に、本発明の第２の実施形態に係る印刷制御装置２を説明する。
本実施形態に係る印刷制御装置２は、再印刷時における印刷データ生成処理において、ＵＩ装置２６等を介して指定される物理ページデータを含む小冊子及び当該小冊子の次の小冊子のいずれかの先頭情報が含まれている物理ページデータを探索する点で、第１の実施形態に係る印刷制御装置２とは異なる。
【００４９】
図１０は、本実施形態に係る印刷制御プログラム４の再印刷制御部５０による再印刷時における印刷データ生成処理（Ｓ５０）のフローチャートを示す図である。なお、図１０に示された各処理のうち、図８に示された処理と実質的に同一のものには同一の符号が付されている。
図１０に示すように、物理ページ番号が入力されると、Ｓ３００〜Ｓ３０４の処理で、印刷開始ページが設定され、印刷処理がブック印刷であるか否かが判定される。印刷処理がブック印刷ではない場合、Ｓ３１２及びＳ３１４の処理が実行される。
【００５０】
一方、印刷処理がブック印刷である場合、Ｓ３０６及びＳ３０８の処理で、先頭情報が、印刷開始ページに設定された物理ページデータに含まれているか否かが判定される。先頭情報が、当該物理ページデータに含まれていない場合、再印刷制御部５０は、Ｓ５００の処理に進む。先頭情報が、当該物理ページデータに含まれている場合、Ｓ３１２及びＳ３１４の処理が実行される。
【００５１】
再印刷制御部５０は、Ｓ５００以降の処理で、印刷開始ページに設定されている物理ページが含まれている小冊子の第１番目の物理ページ、及びその次の小冊子の第１番目の物理ページのうち、近いほうの物理ページデータを探索する。
ステップ５００（Ｓ５００）において、再印刷制御部５０は、印刷開始ページ番号を変数Ａ及びＢに代入する。
【００５２】
ステップ５０２（Ｓ５０２）において、再印刷制御部５０は、Ａから１を減ずる。
ステップ５０４（Ｓ５０４）において、再印刷制御部５０は、ページ番号がＡである物理ページデータを参照し、当該物理ページデータに先頭情報が含まれているか否かを判定する。再印刷制御部５０は、先頭情報が含まれている場合にはＳ５１２の処理に進み、そうでない場合にはＳ５０６の処理に進む。
【００５３】
ステップ５０６（Ｓ５０６）において、再印刷制御部５０は、Ｂに１を加える。
ステップ５０８（Ｓ５０８）において、再印刷制御部５０は、Ｂが、後処理装置１２まで搬送された物理ページのページ番号Ｃ以下であるか否かを判定する。再印刷制御部５０は、ＢがＣ以下である場合にはＳ５１０の処理に進み、そうでない場合にはＳ５０２の処理に戻る。
【００５４】
ステップ５１０（Ｓ５１０）において、再印刷制御部５０は、ページ番号がＢである物理ページデータを参照し、当該物理ページデータに先頭情報が含まれているか否かを判定する。再印刷制御部５０は、先頭情報が含まれている場合にはＳ５１２の処理に進み、そうでない場合にはＳ５０２の処理に進む。
【００５５】
ステップ５１２（Ｓ５１２）において、再印刷制御部５０は、先頭情報が含まれている物理ページを印刷開始ページに設定する。
Ｓ３１２及びＳ３１４の処理では、印刷開始ページが印刷データに設定され、印刷データが画像出力装置１０に対して出力される。その後、再印刷処理（図９；Ｓ４０）が実行される。
【００５６】
次に、本発明の第３の実施形態に係る印刷制御装置２を説明する。
本実施形態に係る印刷制御装置２は、再印刷時における印刷データ生成処理において、ＵＩ装置２６等を介して指定される論理ページ番号に基づいて、小冊子の先頭情報が含まれている物理ページデータを探索する点で、第１の実施形態に係る印刷制御装置２とは異なる。
【００５７】
図１１は、本実施形態に係る印刷制御プログラム４の再印刷制御部５０による再印刷時における印刷データ生成処理（Ｓ６０）のフローチャートを示す図である。なお、図１１に示された各処理のうち、図８に示された処理と実質的に同一のものには同一の符号が付されている。
図１１に示すように、ステップ６００（Ｓ６００）において、作業者は、印刷制御装置２のＵＩ装置２６を介して論理ページ番号を入力する。論理ページ番号が入力されると、ステップ３００（Ｓ３００）において、印刷制御プログラム４の再印刷制御部５０は、入力される論理ページ番号を受け付ける。
【００５８】
ステップ６０２（Ｓ６０２）において、再印刷制御部５０は、第１番目の物理ページを印刷開始ページに設定する。さらに、再印刷制御部５０は、Ｓ３０２の処理で、記憶されている印刷データを読み出し、Ｓ３０６の処理で、印刷開始ページに設定された物理ページデータを参照する。
【００５９】
ステップ６０４（Ｓ６０４）において、再印刷制御部５０は、指定された論理ページが当該物理ページに含まれているか否かを判定する。再印刷制御部５０は、当該論理ページが当該物理ページに含まれている場合にはＳ３０４の処理に進み、そうでない場合にはＳ６０６の処理に進む。
ステップ６０６（Ｓ６０６）において、再印刷制御部５０は、その次の物理ページを印刷開始ページに設定し、Ｓ３０６の処理に戻る。
【００６０】
指定された論理ページが物理ページに含まれている場合、Ｓ３０４の処理で、印刷処理がブック印刷であるか否かが判定され、Ｓ３０６〜Ｓ３１４の処理で、所定の物理ページを印刷開始ページとする情報が印刷データに付与され、印刷データが出力される。その後、再印刷処理（図９；Ｓ４０）が実行される。
【図面の簡単な説明】
【００６１】
【図１】本発明の実施形態に係る印刷システム１を示す図である。
【図２】後処理装置１２による折り加工及び印刷制御装置２により割付処理を説明する図である。
【図３】本発明の実施形態に係る印刷制御装置２のハードウェア構成を示す図である。
【図４】本発明の実施形態に係る印刷制御装置２による印刷制御処理を実現する印刷制御プログラム４の機能構成を示す図である。
【図５】印刷データ生成部４６の詳細な機能構成を示す図である。
【図６】印刷データ生成部４６による印刷データ生成処理（Ｓ１０）のフローチャートを示す図である。
【図７】印刷システム１における印刷処理（Ｓ２０）の動作を示す図である。
【図８】本発明の第１の実施形態に係る印刷制御装置２上で動作する印刷制御プログラム４の再印刷制御部５０による再印刷時における印刷データ生成処理（Ｓ３０）のフローチャートを示す図である。
【図９】印刷システム１による再印刷処理（Ｓ４０）の動作を示す図である。
【図１０】本発明の第２の実施形態に係る印刷制御装置２上で動作する印刷制御プログラム４の再印刷制御部５０による再印刷時における印刷データ生成処理（Ｓ５０）のフローチャートを示す図である。
【図１１】本発明の第３の実施形態に係る印刷制御装置２上で動作する印刷制御プログラム４の再印刷制御部５０による再印刷時における印刷データ生成処理（Ｓ６０）のフローチャートを示す図である。
【符号の説明】
【００６２】
１ 印刷システム
２ 印刷制御装置
４ 印刷制御プログラム
１０ 画像出力装置
１２ 後処理装置
１４ ネットワーク
１６ 端末装置
１８ ＣＰＵ
２０ メモリ
２２ 記憶装置
２６ ＵＩ装置
２８ 通信ＩＦ
３０ 印刷ＩＦ
４０ 文書データ受付部
４２ 印刷データ構成部
４４ 構成情報記憶部
４６ 印刷データ生成部
４８ 印刷データ記憶部
５０ 再印刷制御部
４６０ 描画・割付部
４６２ 先頭情報付与部
４６４ 印刷データ出力部
【図１】
2008162133.tif 000003
【図２】
2008162133.tif 000004
【図３】
2008162133.tif 000005
【図４】
2008162133.tif 000006
【図５】
2008162133.tif 000007
【図６】
2008162133.tif 000008
【図７】
2008162133.tif 000009
【図８】
2008162133.tif 000010
【図９】
2008162133.tif 000011
【図１０】
2008162133.tif 000012
【図１１】
2008162133.tif 000013